(57)【要約】      （修正有）【課題】携帯電話において受信することができ，かつ比較的適切な箇所で動画を分割する。【解決手段】分割対象動画16の先頭Ｐ０から，携帯電話の受信制限容量のデータ量ｄ１と同じデータ量をもつ動画部分までの箇所が仮分割ポイントＰ11に設定される。仮分割ポイントＰ11から前の一定範囲内にシーン・チェンジ・ポイントが存在するかどうかが判定される。一定範囲内にシーン・チェンジ・ポイントＰ31が存在する場合にはそのシーン・チェンジ・ポイントＰ31が分割ポイントと決定される（Ａ）。一定範囲内にシーン・チェンジ・ポイントP32が存在しない場合には仮分割ポイントＰ11が分割ポイントと決定される（Ｂ）。【選択図】図６
2010212824.tif 000002
【特許請求の範囲】
【請求項１】
シーン・チェンジ・ポイントが規定されている分割対象動画の先頭から，所定の携帯端末装置の受信可能なデータ量にもとづいて定まる仮分割ポイントを決定する仮分割ポイント決定手段，
上記仮分割ポイント決定手段によって決定された仮分割ポイントより前の一定範囲内にシーン・チェンジ・ポイントが存在するかどうかを判定するシーン・チェンジ・ポイント判定手段，
上記シーン・チェンジ・ポイント判定手段によって仮分割ポイントより前の一定範囲内にシーン・チェンジ・ポイントが存在すると判定されたことに応じて，そのシーン・チェンジ・ポイントを分割対象動画の分割ポイントと決定し，上記シーン・チェンジ・ポイント判定手段によって仮分割ポイントより前の一定範囲内にシーン・チェンジ・ポイントが存在しないと判定されたことに応じて，上記仮分割ポイント決定手段によって決定された仮分割ポイントを分割対象動画の分割ポイントと決定する第１の分割ポイント決定手段，ならびに
上記分割ポイント決定手段によって決定された分割ポイントを分割対象動画の先頭として，上記仮分割ポイントを決定する処理，上記シーン・チェンジ・ポイントが存在するかどうかを判定する処理および上記分割ポイントを決定する処理を繰り返すように上記仮分割ポイント決定手段，上記シーン・チェンジ・ポイント判定手段および上記第１の分割ポイント決定手段を制御する制御手段，
を備えた動画分割ポイント決定装置。
【請求項２】
上記分割対象動画には分割禁止範囲も規定されており，
上記仮分割ポイント決定手段によって決定された仮分割ポイントが分割禁止範囲内かどうかを判定する分割禁止範囲内判定手段，および
上記分割禁止範囲内判定手段によって仮分割ポイントが分割禁止範囲内に存在すると判定されたことに応じて分割禁止範囲の直前を分割ポイントと決定する第２の分割ポイント決定手段をさらに備え，
上記シーン・チェンジ・ポイント判定手段は，
上記分割禁止範囲内判定手段によって仮分割ポイントが分割禁止範囲内に存在しないと判定されたことに応じて，上記シーン・チェンジ・ポイントが存在するかどうかを判定するものである，
請求項１に記載の動画分割ポイント決定装置。
【請求項３】
シーン・チェンジ・ポイントが規定されている分割対象動画の先頭から，所定の携帯端末装置の受信可能なデータ量にもとづいて定まる仮分割ポイントを決定する仮分割ポイント決定手段，
上記仮分割ポイント決定手段によって決定された仮分割ポイントより前の一定範囲内に第１のシーン・チェンジ・ポイントが存在するかどうかを判定するシーン・チェンジ・ポイント判定手段，
上記シーン・チェンジ・ポイント判定手段によって仮分割ポイントより前の一定範囲内に第１のシーン・チェンジ・ポイントが存在すると判定されたことに応じて，その第１のシーン・チェンジ・ポイントを分割対象動画の分割ポイントと決定する第１の分割ポイント決定手段，
上記シーン・チェンジ・ポイント判定手段によって仮分割ポイントより前の一定範囲内に第１のシーン・チェンジ・ポイントが存在しないと判定されたことに応じて，分割対象動画の先頭から上記第１のシーン・チェンジ・ポイントの次の第２のシーン・チェンジ・ポイントまでの動画部分のデータ量が上記所定の携帯端末装置の受信可能なデータ量以上の所定の許容データ量以内かどうかを判定する第１の許容判定手段，
上記第１の許容判定手段によって，分割対象動画の先頭から上記第２のシーン・チェンジ・ポイントまでの動画部分のデータ量が上記所定の許容データ量以内と判定されたことに応じて上記第２のシーン・チェンジ・ポイントを動画の分割ポイントと決定し，上記第１の許容判定手段によって，分割対象動画の先頭から上記第２のシーン・チェンジ・ポイントまでの動画部分のデータ量が上記所定の許容データ量以内と判定されなかったことに応じて，上記仮分割ポイント決定手段によって決定された仮分割ポイントを動画の分割ポイントと決定する第２の分割ポイント決定手段，
上記第１の分割ポイント決定手段または上記第２の分割ポイント決定手段によって決定された分割ポイントを動画の先頭として，上記仮分割ポイントを決定する処理，上記シーン・チェンジ・ポイントが存在するかどうかを判定する処理，第１の分割ポイント決定処理，上記許容判定する処理および上記第２の分割ポイント決定処理を繰り返すように上記仮分割ポイント決定手段，上記シーン・チェンジ・ポイント判定手段，上記第１の分割ポイント決定手段，上記第１の許容判定手段および上記第２の分割ポイント決定手段を制御する制御手段，
を備えた動画分割ポイント決定装置。
【請求項４】
分割対象動画の先頭から，上記第２の分割ポイント決定手段において，分割対象動画の分割ポイントと決定された第２のシーン・チェンジ・ポイントまでの動画部分が上記所定の携帯端末装置の受信可能なデータ量以内に収まるように圧縮する圧縮手段をさらに備えた請求項３に記載の動画分割ポイント決定装置。
【請求項５】
上記分割対象動画には分割禁止範囲も規定されており，
上記仮分割ポイント決定手段によって決定された仮分割ポイントが分割禁止範囲内かどうかを判定する分割禁止範囲内判定手段，
上記分割禁止範囲内判定手段によって仮分割ポイントが分割禁止範囲内に存在すると判定されたことに応じて，分割対象動画の先頭から分割禁止範囲の終端までの動画部分のデータ量が上記所定の携帯端末装置の受信可能な容量以上の所定の許容データ量以内かどうかを判定する第２の許容判定手段，および
上記第２の許容判定手段によって，分割対象動画の先頭から分割禁止範囲の終端までのデータ量が上記所定の許容データ量以内と判定されたことに応じて上記分割禁止範囲の終端を動画の分割ポイントと決定し，上記第２の許容判定手段によって，分割対象動画の先頭から上記分割禁止範囲の終端までの動画部分のデータ量が上記所定の許容データ量以内と判定されなかったことに応じて分割禁止範囲の直前を分割対象動画の分割ポイントと決定する第３の分割ポイント決定手段，
をさらに備えた請求項３または４に記載の動画分割ポイント決定装置。
【請求項６】
シーン・チェンジ・ポイントが規定されている分割対象動画であり，かつ所定の携帯端末装置の受信可能なデータ量ごとに分割対象動画を分割した場合の分割数を算出する分割数算出手段，
上記分割数算出手段によって算出された分割数で分割対象動画を均等に分割したときのデータ量を算出する均等データ量算出手段，
上記均等データ量算出手段によって算出されたデータ量をもつ，分割対象動画の先頭からの動画部分の終端を仮ポイントと決定する仮分割ポイント決定手段，
上記仮分割ポイント決定手段によって決定された仮分割ポイントより前の一定範囲内にシーン・チェンジ・ポイントが存在しないかどうかを判定する第１のシーン・チェンジ・ポイント判定手段，
上記第１のシーン・チェンジ・ポイント判定手段によって仮分割ポイントより前の一定範囲内にシーン・チェンジ・ポイントが存在しないと判定されたことに応じて，仮分割ポイントと動画の先頭から所定の携帯端末装置の受信可能なデータ量で規定される箇所との間にシーン・チェンジ・ポイントが存在するかどうかを判定する第２のシーン・チェンジ・ポイント判定手段，
上記第１のシーン・チェンジ・ポイント判定手段または上記第２のシーン・チェンジ・ポイント判定手段によってシーン・チェンジ・ポイントが存在すると判定されたことに応じて，そのシーン・チェンジ・ポイントを分割ポイントと決定する第１の分割ポイント決定手段，
上記第２のシーン・チェンジ・ポイント判定手段によってシーン・チェンジ・ポイントが存在しないと判定されたことに応じて，上記仮分割ポイント決定手段によって決定された仮分割ポイントを分割ポイントと決定する第２の分割ポイント決定手段，ならびに
上記第１の分割ポイント決定手段または上記第２の分割ポイント決定手段によって決定された分割ポイントを分割対象動画の先頭として，上記処理を繰り返すように上記分割数算出手段，上記データ量算出手段，上記仮分割ポイント決定手段，上記第１のシーン・チェンジ・ポイント判定手段，上記第２のシーン・チェンジ・ポイント判定手段，上記第１の分割ポイント決定手段および上記第２の分割ポイント決定手段を制御する制御手段，
を備えた動画分割ポイント決定装置。
【請求項７】
上記分割対象動画には分割禁止範囲も規定されており，
上記仮分割ポイント決定手段によって決定された仮分割ポイントが分割禁止範囲内かどうかを判定する分割禁止範囲内判定手段，
分割禁止範囲内判定手段によって仮分割ポイントが分割禁止範囲内にあると判定されたことに応じて，仮分割ポイントが分割対象動画の先頭から分割禁止範囲の終端までの動画部分のデータ量が上記所定の携帯端末装置の受信可能なデータ量よりも少ないかどうかを判定するデータ量判定手段，および
上記データ量判定手段により上記動画部分のデータ量が上記所定の携帯端末装置の受信可能なデータ量よりも少ないと判定されたことに応じて，分割禁止範囲の終端を分割ポイントと決定し，上記データ量判定手段により上記動画部分のデータ量が上記所定の携帯端末装置のデータ量以上と判定されたことに応じて，分割禁止範囲の直前を分割ポイントと決定する第３の分割ポイント決定手段，
をさらに備えた請求項6に記載の動画分割ポイント決定装置。
【請求項８】
仮分割ポイント決定手段が，シーン・チェンジ・ポイントが規定されている分割対象動画の先頭から，所定の携帯端末装置の受信可能なデータ量にもとづいて定まる仮分割ポイントを決定し，
シーン・チェンジ・ポイント判定手段が，上記仮分割ポイント決定手段によって決定された仮分割ポイントより前の一定範囲内にシーン・チェンジ・ポイントが存在するかどうかを判定し，
第１の分割ポイント決定手段が，上記シーン・チェンジ・ポイント判定手段によって仮分割ポイントより前の一定範囲内にシーン・チェンジ・ポイントが存在すると判定されたことに応じて，そのシーン・チェンジ・ポイントを分割対象動画の分割ポイントと決定し，上記シーン・チェンジ・ポイント判定手段によって仮分割ポイントより前の一定範囲内にシーン・チェンジ・ポイントが存在しないと判定されたことに応じて，上記仮分割ポイント決定手段によって決定された仮分割ポイントを分割対象動画の分割ポイントと決定し，
制御手段が，上記分割ポイント決定手段によって決定された分割ポイントを分割対象動画の先頭として，上記仮分割ポイントを決定する処理，上記シーン・チェンジ・ポイントが存在するかどうかを判定する処理および上記分割ポイントを決定する処理を繰り返すように上記仮分割ポイント決定手段，上記シーン・チェンジ・ポイント判定手段および上記第１の分割ポイント決定手段を制御する，
動画分割ポイント決定装置の動作制御方法。
【請求項９】
仮分割ポイント決定手段が，シーン・チェンジ・ポイントが規定されている分割対象動画の先頭から，所定の携帯端末装置の受信可能なデータ量にもとづいて定まる仮分割ポイントを決定し，
シーン・チェンジ・ポイント判定手段が，上記仮分割ポイント決定手段によって決定された仮分割ポイントより前の一定範囲内に第1のシーン・チェンジ・ポイントが存在するかどうかを判定し，
第１の分割ポイント決定手段が，上記シーン・チェンジ・ポイント判定手段によって仮分割ポイントより前の一定範囲内に第１のシーン・チェンジ・ポイントが存在すると判定されたことに応じて，その第１のシーン・チェンジ・ポイントを分割対象動画の分割ポイントと決定し，
第１の許容判定手段が，上記シーン・チェンジ・ポイント判定手段によって仮分割ポイントより前の一定範囲内に第１のシーン・チェンジ・ポイントが存在しないと判定されたことに応じて，分割対象動画の先頭から上記第１のシーン・チェンジ・ポイントの次の第２のシーン・チェンジ・ポイントまでの動画部分のデータ量が上記所定の携帯端末装置の受信可能なデータ量以上の所定の許容データ量以内かどうかを判定し，
第２の分割ポイント決定手段が，上記第１の許容判定手段によって，分割対象動画の先頭から上記第２のシーン・チェンジ・ポイントまでの動画部分のデータ量が上記所定の許容データ量以内と判定されたことに応じて上記第２のシーン・チェンジ・ポイントを動画の分割ポイントと決定し，上記第１の許容判定手段によって，分割対象動画の先頭から上記第２のシーン・チェンジ・ポイントまでの動画部分のデータ量が上記所定の許容データ量以内と判定されなかったことに応じて，上記仮分割ポイント決定手段によって決定された仮分割ポイントを動画の分割ポイントと決定し，
制御手段が，上記第１の分割ポイント決定手段または上記第２の分割ポイント決定手段によって決定された分割ポイントを動画の先頭として，上記仮分割ポイントを決定する処理，上記シーン・チェンジ・ポイントが存在するかどうかを判定する処理，第１の分割ポイント決定処理，上記許容判定する処理および上記第２の分割ポイント決定処理を繰り返すように上記仮分割ポイント決定手段，上記シーン・チェンジ・ポイント判定手段，上記第１の分割ポイント決定手段，上記第１の許容判定手段および上記第２の分割ポイント決定手段を制御する，
動画分割ポイント決定装置の動作制御方法。
【請求項１０】
分割数算出手段が，シーン・チェンジ・ポイントが規定されている分割対象動画であり，かつ所定の携帯端末装置の受信可能なデータ量ごとに分割対象動画を分割した場合の分割数を算出し，
均等データ量算出手段が，上記分割数算出手段によって算出された分割数で分割対象動画を均等に分割したときのデータ量を算出し，
仮分割ポイント決定手段が，上記均等データ量算出手段によって算出されたデータ量をもつ，分割対象動画の先頭からの動画部分の終端を借り仮ポイントと決定し，
第１のシーン・チェンジ・ポイント判定手段が，上記仮分割ポイント決定手段によって決定された仮分割ポイントより前の一定範囲内にシーン・チェンジ・ポイントが存在しないかどうかを判定し，
第２のシーン・チェンジ・ポイント判定手段が，上記第１のシーン・チェンジ・ポイント判定手段によって仮分割ポイントより前の一定範囲内にシーン・チェンジ・ポイントが存在しないと判定されたことに応じて，仮分割ポイントと動画の先頭から所定の携帯端末装置の受信可能なデータ量で規定される箇所との間にシーン・チェンジ・ポイントが存在するかどうかを判定し，
第１の分割ポイント決定手段が，上記第１のシーン・チェンジ・ポイント判定手段または上記第２のシーン・チェンジ・ポイント判定手段によってシーン・チェンジ・ポイントが存在すると判定されたことに応じて，そのシーン・チェンジ・ポイントを分割ポイントと決定し，
第２の分割ポイント決定手段が，上記第２のシーン・チェンジ・ポイント判定手段によってシーン・チェンジ・ポイントが存在しないと判定されたことに応じて，上記仮分割ポイント決定手段によって決定された仮分割ポイントを分割ポイントと決定し，
制御手段が，上記第１の分割ポイント決定手段または上記第２の分割ポイント決定手段によって決定された分割ポイントを分割対象動画の先頭として，上記処理を繰り返すように上記分割数算出手段，上記データ量算出手段，上記仮分割ポイント決定手段，上記第１のシーン・チェンジ・ポイント判定手段，上記第２のシーン・チェンジ・ポイント判定手段，上記第１の分割ポイント決定手段および上記第２の分割ポイント決定手段を制御する，
動画分割ポイント決定装置の動作制御方法。
【発明の詳細な説明】
【技術分野】
【０００１】
この発明は，動画分割ポイント決定装置およびその動作制御方法に関する。
【背景技術】
【０００２】
携帯電話の通信速度，性能が向上していることから携帯電話への動画の送信サービスが行われている。携帯電話が受信できるデータ量は比較的少ないので，データ量の多い動画は分割して携帯電話に送信することとなる。動画のシーンを解析しシーン・チェンジのタイミングで動画を分割するもの（特許文献１），動画をコピーする際に動画のコピー先の空き容量に応じて分割するもの（特許文献２）などがある。
【０００３】
しかしながら，単にシーン・チェンジの箇所で動画を分割しても分割後の動画を携帯電話が受信できないこともある。
【先行技術文献】
【特許文献】
【０００４】
【特許文献１】特開平5-37853号
【特許文献２】特開2005-182931号
【発明の概要】
【０００５】
この発明は，携帯電話のような携帯端末装置において，受信することができ，かつ比較的適切な箇所で動画を分割することを目的とする。
【０００６】
第１の発明による動画分割ポイント決定装置は，シーン・チェンジ・ポイントが規定されている分割対象動画の先頭から，所定の携帯端末装置の受信可能なデータ量にもとづいて定まる仮分割ポイントを決定する仮分割ポイント決定手段，上記仮分割ポイント決定手段によって決定された仮分割ポイントより前の一定範囲内にシーン・チェンジ・ポイントが存在するかどうかを判定するシーン・チェンジ・ポイント判定手段，上記シーン・チェンジ・ポイント判定手段によって仮分割ポイントより前の一定範囲内にシーン・チェンジ・ポイントが存在すると判定されたことに応じて，そのシーン・チェンジ・ポイントを分割対象動画の分割ポイントと決定し，上記シーン・チェンジ・ポイント判定手段によって仮分割ポイントより前の一定範囲内にシーン・チェンジ・ポイントが存在しないと判定されたことに応じて，上記仮分割ポイント決定手段によって決定された仮分割ポイントを分割対象動画の分割ポイントと決定する第１の分割ポイント決定手段，ならびに上記分割ポイント決定手段によって決定された分割ポイントを分割対象動画の先頭として，上記仮分割ポイントを決定する処理，上記シーン・チェンジ・ポイントが存在するかどうかを判定する処理および上記分割ポイントを決定する処理を繰り返すように上記仮分割ポイント決定手段，上記シーン・チェンジ・ポイント判定手段および上記第１の分割ポイント決定手段を制御する制御手段を備えていることを特徴とする。
【０００７】
第１の発明は，上記動画分割ポイント決定装置に適した動作制御方法も提供している。すなわち，この方法は，仮分割ポイント決定手段が，シーン・チェンジ・ポイントが規定されている分割対象動画の先頭から，所定の携帯端末装置の受信可能なデータ量にもとづいて定まる仮分割ポイントを決定し，シーン・チェンジ・ポイント判定手段が，上記仮分割ポイント決定手段によって決定された仮分割ポイントより前の一定範囲内にシーン・チェンジ・ポイントが存在するかどうかを判定し，第1の分割ポイント決定手段が，上記シーン・チェンジ・ポイント判定手段によって仮分割ポイントより前の一定範囲内にシーン・チェンジ・ポイントが存在すると判定されたことに応じて，そのシーン・チェンジ・ポイントを分割対象動画の分割ポイントと決定し，上記シーン・チェンジ・ポイント判定手段によって仮分割ポイントより前の一定範囲内にシーン・チェンジ・ポイントが存在しないと判定されたことに応じて，上記仮分割ポイント決定手段によって決定された仮分割ポイントを分割対象動画の分割ポイントと決定し，制御手段が，上記分割ポイント決定手段によって決定された分割ポイントを分割対象動画の先頭として，上記仮分割ポイントを決定する処理，上記シーン・チェンジ・ポイントが存在するかどうかを判定する処理および上記分割ポイントを決定する処理を繰り返すように上記仮分割ポイント決定手段，上記シーン・チェンジ・ポイント判定手段および上記第１の分割ポイント決定手段を制御するものである。
【０００８】
第１の発明によると，分割対象動画の中で，所定の携帯端末装置が受信可能なデータ容量にもとづいて定まる仮分割ポイントが決定される。決定された仮分割ポイントより前の一定範囲内にシーン・チェンジ・ポイントが存在するかどうかが判定される。シーン・チェンジ・ポイントが存在すると，そのシーン・チェンジ・ポイントが分割ポイントとして決定される。シーン・チェンジ・ポイントが存在しないと仮分割ポイントが分割ポイントとして決定される。分割ポイントにおいて分割された動画部分は，所定の携帯端末装置が受信できるデータ量となっている。しかも，単に所定の携帯端末装置が受信できるデータ量で動画が分割されるのではなく，仮に決定された仮分割ポイントより前の一定範囲内にシーン・チェンジ・ポイントが存在すると，そのシーン・チェンジ・ポイントが分割ポイントとされるので，分割するのに適したシーンで分割されることとなる。
【０００９】
上記分割対象動画には分割禁止範囲も規定されていてもよい。この場合には，上記仮分割ポイント決定手段によって決定された仮分割ポイントが分割禁止範囲内かどうかを判定する分割禁止範囲内判定手段，および上記分割禁止範囲内判定手段によって仮分割ポイントが分割禁止範囲内に存在すると判定されたことに応じて分割禁止範囲の直前を分割ポイントと決定する第２の分割ポイント決定手段をさらに備えるものとなろう。そして，上記シーン・チェンジ・ポイント判定手段は，上記分割禁止範囲内判定手段によって仮分割ポイントが分割禁止範囲内に存在しないと判定されたことに応じて，上記シーン・チェンジ・ポイントが存在するかどうかを判定するものとなろう。
【００１０】
第２の発明による動画分割ポイント決定装置は，シーン・チェンジ・ポイントが規定されている分割対象動画の先頭から，所定の携帯端末装置の受信可能なデータ量にもとづいて定まる仮分割ポイントを決定する仮分割ポイント決定手段，上記仮分割ポイント決定手段によって決定された仮分割ポイントより前の一定範囲内に第1のシーン・チェンジ・ポイントが存在するかどうかを判定するシーン・チェンジ・ポイント判定手段，上記シーン・チェンジ・ポイント判定手段によって仮分割ポイントより前の一定範囲内に第１のシーン・チェンジ・ポイントが存在すると判定されたことに応じて，その第１のシーン・チェンジ・ポイントを分割対象動画の分割ポイントと決定する第１の分割ポイント決定手段，上記シーン・チェンジ・ポイント判定手段によって仮分割ポイントより前の一定範囲内に第１のシーン・チェンジ・ポイントが存在しないと判定されたことに応じて，分割対象動画の先頭から上記第１のシーン・チェンジ・ポイントの次の第２のシーン・チェンジ・ポイントまでの動画部分のデータ量が上記所定の携帯端末装置の受信可能なデータ量以上の所定の許容データ量以内かどうかを判定する第１の許容判定手段，上記第１の許容判定手段によって，分割対象動画の先頭から上記第２のシーン・チェンジ・ポイントまでの動画部分のデータ量が上記所定の許容データ量以内と判定されたことに応じて上記第２のシーン・チェンジ・ポイントを動画の分割ポイントと決定し，上記第１の許容判定手段によって，分割対象動画の先頭から上記第２のシーン・チェンジ・ポイントまでの動画部分のデータ量が上記所定の許容データ量以内と判定されなかったことに応じて，上記仮分割ポイント決定手段によって決定された仮分割ポイントを動画の分割ポイントと決定する第２の分割ポイント決定手段，上記第１の分割ポイント決定手段または上記第２の分割ポイント決定手段によって決定された分割ポイントを動画の先頭として，上記仮分割ポイントを決定する処理，上記シーン・チェンジ・ポイントが存在するかどうかを判定する処理，第１の分割ポイント決定処理，上記許容判定する処理および上記第２の分割ポイント決定処理を繰り返すように上記仮分割ポイント決定手段，上記シーン・チェンジ・ポイント判定手段，上記第１の分割ポイント決定手段，上記第１の許容判定手段および上記第２の分割ポイント決定手段を制御する制御手段を備えていることを特徴とする。
【００１１】
第２の発明は，上記動画分割ポイント決定装置に適した動作制御方法も提供している。すなわち，この方法は，仮分割ポイント決定手段が，シーン・チェンジ・ポイントが規定されている分割対象動画の先頭から，所定の携帯端末装置の受信可能なデータ量にもとづいて定まる仮分割ポイントを決定し，シーン・チェンジ・ポイント判定手段が，上記仮分割ポイント決定手段によって決定された仮分割ポイントより前の一定範囲内に第1のシーン・チェンジ・ポイントが存在するかどうかを判定し，第1の分割ポイント決定手段が，上記シーン・チェンジ・ポイント判定手段によって仮分割ポイントより前の一定範囲内に第１のシーン・チェンジ・ポイントが存在すると判定されたことに応じて，その第１のシーン・チェンジ・ポイントを分割対象動画の分割ポイントと決定し，第１の許容判定手段が，上記シーン・チェンジ・ポイント判定手段によって仮分割ポイントより前の一定範囲内に第１のシーン・チェンジ・ポイントが存在しないと判定されたことに応じて，分割対象動画の先頭から上記第１のシーン・チェンジ・ポイントの次の第２のシーン・チェンジ・ポイントまでの動画部分のデータ量が上記所定の携帯端末装置の受信可能なデータ量以上の所定の許容データ量以内かどうかを判定し，第２の分割ポイント決定手段が，上記第１の許容判定手段によって，分割対象動画の先頭から上記第２のシーン・チェンジ・ポイントまでの動画部分のデータ量が上記所定の許容データ量以内と判定されたことに応じて上記第２のシーン・チェンジ・ポイントを動画の分割ポイントと決定し，上記第１の許容判定手段によって，分割対象動画の先頭から上記第２のシーン・チェンジ・ポイントまでの動画部分のデータ量が上記所定の許容データ量以内と判定されなかったことに応じて，上記仮分割ポイント決定手段によって決定された仮分割ポイントを動画の分割ポイントと決定し，制御手段が，上記第１の分割ポイント決定手段または上記第２の分割ポイント決定手段によって決定された分割ポイントを動画の先頭として，上記仮分割ポイントを決定する処理，上記シーン・チェンジ・ポイントが存在するかどうかを判定する処理，第１の分割ポイント決定処理，上記許容判定する処理および上記第２の分割ポイント決定処理を繰り返すように上記仮分割ポイント決定手段，上記シーン・チェンジ・ポイント判定手段，上記第１の分割ポイント決定手段，上記第１の許容判定手段および上記第２の分割ポイント決定手段を制御するものである。
【００１２】
第２の発明によると，仮分割ポイントが決定され，その仮分割ポイントより前の一定範囲内に第１のシーン・チェンジ・ポイントが存在するかどうかが判定される。第１のシーン・チェンジ・ポイントが存在すると，その第１のシーン・チェンジ・ポイントが分割ポイントと決定される。第１のシーン・チェンジ・ポイントが存在しないと，動画の先頭から第１のシーン・チェンジ・ポイントの次の第２のシーン・チェンジ・ポイントまでの動画部分のデータ量が許容データ量以内かどうか判定される。許容データ量以内であれば，第２のシーン・チェンジ・ポイントが分割ポイントと決定される。許容データ量を超えていると，仮分割ポイントが分割ポイントと決定される。第２のシーン・チェンジ・ポイントで分割した場合のデータ量が許容データ量であれば，その第２のシーン・チェンジ・ポイントが分割ポイントとされるので，分割するのに適したシーンで分割されることとなる。
【００１３】
分割対象動画の先頭から，上記第２の分割ポイント決定手段において，分割対象動画の分割ポイントと決定された第２のシーン・チェンジ・ポイントまでの動画部分が上記所定の携帯端末装置の受信可能なデータ量以内に収まるように圧縮する圧縮手段をさらに備えることが好ましい。
【００１４】
上記分割対象動画には分割禁止範囲も規定されている場合には，上記仮分割ポイント決定手段によって決定された仮分割ポイントが分割禁止範囲内かどうかを判定する分割禁止範囲内判定手段，上記分割禁止範囲内判定手段によって仮分割ポイントが分割禁止範囲内に存在すると判定されたことに応じて，分割対象動画の先頭から分割禁止範囲の終端までの動画部分のデータ量が上記所定の携帯端末装置の受信可能な容量以上の所定の許容データ量以内かどうかを判定する第２の許容判定手段，および上記第２の許容判定手段によって，分割対象動画の先頭から分割禁止範囲の終端までのデータ量が上記所定の許容データ量以内と判定されたことに応じて上記分割禁止範囲の終端を動画の分割ポイントと決定し，上記第２の許容判定手段によって，分割対象動画の先頭から上記分割禁止範囲の終端までの動画部分のデータ量が上記所定の許容データ量以内と判定されなかったことに応じて分割禁止範囲の直前を分割対象動画の分割ポイントと決定する第３の分割ポイント決定手段をさらに備えることが好ましい。
【００１５】
第３の発明による動画分割ポイント決定装置は，シーン・チェンジ・ポイントが規定されている分割対象動画であり，かつ所定の携帯端末装置の受信可能なデータ量ごとに分割対象動画を分割した場合の分割数を算出する分割数算出手段，上記分割数算出手段によって算出された分割数で分割対象動画を均等に分割したときのデータ量を算出する均等データ量算出手段，上記均等データ量算出手段によって算出されたデータ量をもつ，分割対象動画の先頭からの動画部分の終端を仮ポイントと決定する仮分割ポイント決定手段，上記仮分割ポイント決定手段によって決定された仮分割ポイントより前の一定範囲内にシーン・チェンジ・ポイントが存在しないかどうかを判定する第１のシーン・チェンジ・ポイント判定手段，上記第１のシーン・チェンジ・ポイント判定手段によって仮分割ポイントより前の一定範囲内にシーン・チェンジ・ポイントが存在しないと判定されたことに応じて，仮分割ポイントと動画の先頭から所定の携帯端末装置の受信可能なデータ量で規定される箇所との間にシーン・チェンジ・ポイントが存在するかどうかを判定する第２のシーン・チェンジ・ポイント判定手段，上記第１のシーン・チェンジ・ポイント判定手段または上記第２のシーン・チェンジ・ポイント判定手段によってシーン・チェンジ・ポイントが存在すると判定されたことに応じて，そのシーン・チェンジ・ポイントを分割ポイントと決定する第１の分割ポイント決定手段，上記第２のシーン・チェンジ・ポイント判定手段によってシーン・チェンジ・ポイントが存在しないと判定されたことに応じて，上記仮分割ポイント決定手段によって決定された仮分割ポイントを分割ポイントと決定する第２の分割ポイント決定手段，ならびに上記第１の分割ポイント決定手段または上記第２の分割ポイント決定手段によって決定された分割ポイントを分割対象動画の先頭として，上記処理を繰り返すように上記分割数算出手段，上記データ量算出手段，上記仮分割ポイント決定手段，上記第１のシーン・チェンジ・ポイント判定手段，上記第２のシーン・チェンジ・ポイント判定手段，上記第１の分割ポイント決定手段および上記第２の分割ポイント決定手段を制御する制御手段を備えていることを特徴とする。
【００１６】
第３の発明は，上記動画分割ポイント決定装置に適した動作制御方法も提供している。すなわち，この方法は，分割数算出手段が，シーン・チェンジ・ポイントが規定されている分割対象動画であり，かつ所定の携帯端末装置の受信可能なデータ量ごとに分割対象動画を分割した場合の分割数を算出し，均等データ量算出手段が，上記分割数算出手段によって算出された分割数で分割対象動画を均等に分割したときのデータ量を算出し，仮分割ポイント決定手段が，上記均等データ量算出手段によって算出されたデータ量をもつ，分割対象動画の先頭からの動画部分の終端を借り仮ポイントと決定し，第１のシーン・チェンジ・ポイント判定手段が，上記仮分割ポイント決定手段によって決定された仮分割ポイントより前の一定範囲内にシーン・チェンジ・ポイントが存在しないかどうかを判定し，第２のシーン・チェンジ・ポイント判定手段が，上記第１のシーン・チェンジ・ポイント判定手段によって仮分割ポイントより前の一定範囲内にシーン・チェンジ・ポイントが存在しないと判定されたことに応じて，仮分割ポイントと動画の先頭から所定の携帯端末装置の受信可能なデータ量で規定される箇所との間にシーン・チェンジ・ポイントが存在するかどうかを判定し，第１の分割ポイント決定手段が，上記第１のシーン・チェンジ・ポイント判定手段または上記第２のシーン・チェンジ・ポイント判定手段によってシーン・チェンジ・ポイントが存在すると判定されたことに応じて，そのシーン・チェンジ・ポイントを分割ポイントと決定し，第２の分割ポイント決定手段が，上記第２のシーン・チェンジ・ポイント判定手段によってシーン・チェンジ・ポイントが存在しないと判定されたことに応じて，上記仮分割ポイント決定手段によって決定された仮分割ポイントを分割ポイントと決定し，制御手段が，上記第１の分割ポイント決定手段または上記第２の分割ポイント決定手段によって決定された分割ポイントを分割対象動画の先頭として，上記処理を繰り返すように上記分割数算出手段，上記データ量算出手段，上記仮分割ポイント決定手段，上記第１のシーン・チェンジ・ポイント判定手段，上記第２のシーン・チェンジ・ポイント判定手段，上記第１の分割ポイント決定手段および上記第２の分割ポイント決定手段を制御するものである。
【００１７】
第３の発明によると，分割対象動画が，所定の携帯端末装置が受信可能なデータ量ごとに分割した場合の分割数が算出される。算出された分割数で分割対象動画が均等に分割されたときの動画部分のデータ量が算出され，その動画部分の終端が仮分割ポイントと決定される。仮分割ポイントより前の一定範囲内にシーン・チェンジ・ポイントが存在しないかどうかが判定される。シーン・チェンジ・ポイントが存在しない場合には，仮分割ポイントと動画の先頭から所定の携帯電話が受信可能なデータ量で決定されるポイントとの間にシーン・チェンジ・ポイントが存在するかどうかが判定される。シーン・チェンジ・ポイントが存在する場合には，そのシーン・チェンジ・ポイントが分割ポイントと決定される。シーン・チェンジ・ポイントが存在しない場合には，仮分割ポイントが分割ポイントと決定される。分割した場合にできるだけ違和感が無いようにシーン・チェンジ・ポイントで分割し，かつ動画を複数に分割した場合に，分割されたそれぞれの動画部分が均等とされる。
【図面の簡単な説明】
【００１８】
【図１】動画サーバの電気的構成を示すブロック図である。
【図２】動画の分割禁止範囲およびシーン・チェンジ・ポイントを設定する様子を示している。
【図３】分割禁止およびシーン・チェンジ情報を示している。
【図４】動画と仮分割ポイントとの関係を示している。
【図５】（Ａ）および（Ｂ）は，分割禁止範囲と仮分割ポイントとの関係を示している。
【図６】（Ａ）および（Ｂ）は，シーン・チェンジ・ポイントと仮分割ポイントとの関係を示している。
【図７】分割ポイント決定処理手順を示すフローチャートである。
【図８】分割ポイント決定処理手順を示すフローチャートである。
【図９】分割禁止範囲と仮分割ポイントとの関係を示している。
【図１０】シーン・チェンジ・ポイントと仮分割ポイントとの関係を示している。
【図１１】分割ポイント決定処理手順を示すフローチャートである。
【図１２】分割ポイント決定処理手順を示すフローチャートである。
【図１３】（Ａ）および（Ｂ）は仮分割ポイントが設定される様子を示している。
【図１４】分割ポイント決定処理手順を示すフローチャートである。
【図１５】分割ポイント決定処理手順を示すフローチャートである。
【実施例】
【００１９】
図１は，この発明の実施例を示すもので，動画サーバ（動画分割ポイント決定装置）の電気的構成を示すブロック図である。
【００２０】
動画サーバ１の全体の動作は，ＣＰＵ５によって統括される。ＣＰＵ５によって後述する圧縮も行われる。
【００２１】
動画サーバ１には，表示制御装置３によって動画表示等が制御される表示装置２，キーボード，マウスなどの入力装置４，データ等を一時的に記憶するＲＡＭ６，プログラム，その他のデータを記憶するＲＯＭ７，ハードディスク（図示略）にアクセスするハードディスク・ドライブ８，インターネットなどのネットワークに接続するためのネットワーク・インターフェイス９およびＤＶＤ（Digital Versatile Disk）／ＣＤ−ＲＯＭ（Compact Disk Read Only Memory）ドライブ10が含まれている。
【００２２】
後述する動作プログラムが格納されているＣＤ−ＲＯＭ11がＤＶＤ／ＣＤ−ＲＯＭドライブ10に装填されると，その動作プログラムが読み取られて動画サーバ１にインストールされる。もっとも，動作プログラムはネットワークを介して動画サーバ１にインストールされるようにしてもよい。
【００２３】
携帯電話などに動画ファイルを送信する場合には，携帯電話の受信容量に制限があることから動画が分割されたファイルが送信される。この実施例による動画サーバ１は，動画（分割対象動画）の分割ポイントを決定することができる。
【００２４】
図２は，分割対象動画15を時系列で表わすものであり，横軸は分割対象動画を構成するフレーム数である。
【００２５】
この実施例においては，分割ポイントを決定しようとする分割対象動画15の分割禁止範囲およびシーン・チェンジ・ポイントの少なくとも一方が決定される。分割禁止範囲はその範囲内では分割が禁止される範囲であり，シーン・チェンジ・ポイントは，分割対象動画のシーンが切り替わるポイントである。これらの分割禁止範囲およびシーン・チェンジ・ポイントは，分割対象動画15を再生しながらオペレータが設定してもよいし，自動的に決定するようにしてもよい。
【００２６】
ポイントＰ０が分割対象動画15の先頭である。たとえば，1504フレームのポイントＰ１から4823フレームのポイントＰ２，7896フレームのポイントＰ４から9998フレームのポイントＰ５および12478フレームのポイントＰ７から17826フレームのポイントＰ８のそれぞれの範囲が，シーンの切り替わりなどが無く一連の動作が続く場合には分割禁止範囲とされる。また，6897フレームのポイントＰ３および11245フレームのポイントＰ６においてシーンが切り替わる場合には，それぞれのポイントＰ３およびＰ５がシーン・チェンジ・ポイントとされる。
【００２７】
分割禁止範囲およびシーン・チェンジ・ポイントが決定されると，それらの情報が記憶される。
【００２８】
図３は，分割禁止範囲およびシーン・チェンジ・ポイントの情報の一例である。
【００２９】
上述のように，分割禁止範囲およびシーン・チェンジ・ポイントの情報は，分割禁止範囲情報およびシーン・チェンジ情報ごとに，情報ファイルに格納される。情報ファイルは分割対象動画に対応してハードディスクに記録される。分割対象動画を表す分割対象動画ファイル自体もハードディスクに記録されているのはいうまでもない。もっとも，分割禁止範囲およびシーン・チェンジ・ポイントの情報を分割対象動画とは別の情報ファイルに格納せずに分割対象動画を表す分割対象動画ファイルに記録するようにしてもよい。
【００３０】
図４，図５（Ａ）および（Ｂ）ならびに図６（Ａ）および図６（Ｂ）は，分割対象動画の分割ポイントを決定する様子を示している。分割ポイントの決定は，所定の携帯電話用のものである。受信容量が異なる携帯電話については同様の処理が行われて別の分割ポイントが決定される。
【００３１】
図４を参照して，分割対象動画16の先頭Ｐ０から，所定の携帯電話が受信可能なデータ量ｄ１のデータ量に対応するポイントＰ11が，仮分割ポイントとして決定される。
【００３２】
図５（Ａ）および（Ｂ）に示すように，動画16の分割禁止範囲がポイントＰ21からＰ22の間であったとする。図５（Ａ）に示すように仮分割ポイントＰ11が分割禁止範囲内に存在してしまうと，図５（Ｂ）に示すように分割禁止範囲が開始するポイントＰ21の直前のポイント（直前のフレーム）Ｐ20が分割ポイントとして決定される。
【００３３】
図６（Ａ）を参照して，仮分割ポイントＰ11が決定されると，その決定された仮分割ポイントＰ11より前の一定範囲内にシーン・チェンジ・ポイントが存在するかどうかも判定される。仮分割ポイントＰ11より前の一定範囲内にシーン・チェンジ・ポイントＰ31が存在すると，分割ポイントは，そのシーン・チェンジ・ポイントＰ31と決定される。たとえば，動画16の先頭Ｐ０から仮分割ポイントＰ11までのデータ量がｄ１，動画16の先頭Ｐ０からシーン・チェンジ・ポイントＰ31までのデータ量がｄ２であったとする。データ量の比率ｄ２／ｄ１が80％以上の場合には，仮分割ポイントＰ11より前の一定範囲内にシーン・チェンジ・ポイントＰ31が存在すると判定される。もっとも，データ量の比率ｄ２／ｄ１は80％でなく，50％，75％などその他の割合であってもよい。仮分割ポイントＰ11の前の一定範囲内にシーン・チェンジ・ポイントが存在すると判定された場合には，そのシーン・チェンジ・ポイントが分割ポイントとして決定される。
【００３４】
図６（Ｂ）を参照して，仮分割ポイントＰ11の前に存在するシーン・チェンジ・ポイントＰ32が図６（Ａ）に示すシーン・チェンジ・ポイントＰ31よりも先頭Ｐ０の近くであったとする。動画16の先頭Ｐ０から仮分割ポイントＰ11までのデータ量がｄ１，動画16の先頭Ｐ０からシーン・チェンジ・ポイントＰ32までのデータ量がｄ３であったとする。データ量の比率ｄ３／ｄ１が80％未満となり仮分割ポイントＰ11より前の一定範囲内にシーン・チェンジ・ポイントＰ32が存在しないと判定される。仮分割ポイントＰ11より前の一定範囲内にシーン・チェンジ・ポイントＰ32が存在しないと判定されると，仮分割ポイントが分割ポイントと決定される。
【００３５】
図７および図８は，分割ポイント決定処理手順を示すフローチャートである。
【００３６】
分割ポイントを決定しようとする動画の分割禁止範囲およびシーン・チェンジ・ポイントの情報がハードディスクから読み取られる（図７ステップ21）。つづいて，所定の携帯電話の受信制限容量（受信可能なデータ量）がハードディスクから読み取られる（図７ステップ22）。携帯電話の機種ごとに受信制限容量が動画サーバ１のハードディスクに記録されているのはいうまでもない。さらに，分割ポイントを決定しようとする動画の動画ファイルもハードディスクから読み取られる（図７ステップ23）。
【００３７】
読み取られた携帯電話の受信制限容量にもとづいて上述のように仮分割ポイントが動画に設定される（図７ステップ24，図４）。
【００３８】
設定された仮分割ポイントが分割禁止範囲内に存在するかどうかが判定される（図７ステップ25）。設定された仮分割ポイントが分割禁止範囲内と判定されると（図７ステップ25でＹＥＳ，図５（Ａ）），その分割禁止範囲の直前が分割ポイントと決定される（図８ステップ26，図５（Ｂ））。分割禁止範囲内で動画が分割されてしまうことが未然に防止される。
【００３９】
設定された仮分割ポイントが分割禁止範囲内には存在しないと判定されると（図７ステップ25でＮＯ），仮分割ポイントより前の一定範囲内にシーン・チェンジ・ポイントが存在するかどうかが判定される（図８ステップ27）。仮分割ポイントより前の一定範囲内にシーン・チェンジ・ポイントが存在すると（図８ステップ27でＹＥＳ，図６（Ａ）），そのシーン・チェンジ・ポイントが分割ポイントと決定される（図８ステップ28）。分割するのに適したシーン・チェンジ・ポイントが分割ポイントとなる。
【００４０】
仮分割ポイントより前の一定範囲内にシーン・チェンジ・ポイントが存在しないと（図８ステップ27でＮＯ，図６（Ｂ）），仮分割ポイントが分割ポイントと決定される（図８ステップ29）。シーン・チェンジ・ポイントで分割されると，分割後のデータ量が携帯電話の受信制限容量に比べて少なくなりすぎてしまい，分割後の動画の数が多くなってしまうことが未然に防止される。
【００４１】
決定された分割ポイントで動画（動画ファイル）が分割されることとなる（図８ステップ30）。分割ポイントで動画が分割されると，分割終了するまで（残りの動画のデータ量が携帯電話の受信制限容量以下となるまで）（図８ステップ31），その分割された箇所が動画の先頭とされてステップ24以降の処理が繰り返される。
【００４２】
図９から図12は，他の実施例を示している。
【００４３】
図９および図10は，分割ポイントが決定される様子を示している。
【００４４】
図９を参照して，仮分割ポイントＰ11が分割禁止範囲であるポイントＰ21からＰ22の間に存在する場合には，分割対象動画16の先頭Ｐ０から分割禁止範囲の終端Ｐ22までの動画部分のデータ量が携帯電話の受信制限容量以上の所定の許容データ量以上かどうかが判定される。所定の許容データ量以上の場合に分割禁止範囲の直前のフレームＰ20が分割ポイントと決定される。所定の許容データ量未満の場合には分割禁止範囲の終端Ｐ22が分割ポイントと決定される。分割ポイントで分割した場合データ量が受信制限容量よりも多くなるので，携帯電話が受信できるように，分割された動画部分は携帯電話の受信制限容量以下となるように圧縮される。
【００４５】
たとえば，分割対象動画16の先頭Ｐ０から仮分割ポイントまでのデータ量がｄ１，分割対象動画16の先頭Ｐ０から分割禁止範囲の終端Ｐ22までのデータ量がｄ３とする。これらのデータ量の比率ｄ３／ｄ１が105パーセント以上の場合には分割禁止範囲の直前のフレームＰ20が分割ポイントとされる。データ量の比率ｄ３／ｄ１が105パーセント（100％より多ければその他の割合でもよい）未満の場合には分割禁止範囲の終端Ｐ22が分割ポイントとされる。
【００４６】
図10を参照して，仮分割ポイントＰ11の前から一定範囲以内にシーン・チェンジ・ポイント（第１のシーン・チェンジ・ポイント）Ｐ32が存在しない場合には，動画の先頭Ｐ０から第１のシーン・チェンジ・ポイントＰ32の次のシーン・チェンジ・ポイント（第２のシーン・チェンジ・ポイント）Ｐ33が分割ポイントの候補となる。動画の先頭P0から仮分割ポイントP11までのデータ量ｄ１と第２のシーン・チェンジ・ポイントＰ33までのデータ量ｄ４との比率ｄ４／ｄ１が105％以下（所定の許容データ量以下）であれば，第２のシーン・チェンジ・ポイントＰ33が分割ポイントとして決定される。データ量の比率ｄ４／ｄ１が105％未満であれば，仮分割ポイントが分割ポイントとして決定される。分割ポイントで分割した場合データ量が受信制限容量よりも多くなるので，携帯電話が受信できるように，分割された動画部分は携帯電話の受信制限容量以下となるように圧縮される。
【００４７】
図11および図12は，分割ポイント決定処理手順の一部を示すフローチャートである。図11および図12は，図８の処理に対応するもので，図11および図12に示す処理が開始される前には図７に示す処理が行われる。図７に示す処理が行われた後に図11または図12に示す処理が行われる。
【００４８】
上述したように，仮分割ポイントが分割禁止範囲内に存在すると（図７ステップ15でＹＥＳ），分割対象動画の先頭から分割禁止範囲の終端までのデータ量が許容データ量以内かどうかが判定される（図11ステップ41）。
【００４９】
許容データ量以内でなければ（図11ステップ41でＮＯ），分割禁止範囲の終端が分割ポイントとされてしまうと分割した動画を圧縮しても携帯電話が受信できなくなることがある。このために，分割禁止範囲の直前のフレームが分割ポイントと決定される（図11ステップ45）。決定された分割ポイントで分割対象動画が分割される（図11ステップ46）。
【００５０】
先頭から分割禁止範囲の終端までのデータ量が許容データ量未満であると（図11ステップ41でＹＥＳ），分割禁止範囲の終端が分割ポイントと決定される（図11ステップ42）。分割ポイントで分割対象動画が分割され（図11ステップ43），分割された動画が，携帯電話の受信制限容量以下となるように圧縮される（図11ステップ44）。分割ポイントを決定する分割対象動画自体がすでに携帯電話用に圧縮されている場合には，携帯電話の受信制限容量以下となるように再圧縮されることとなる。
【００５１】
分割対象動画の分割が終了するまで上述の処理が繰り返される（図11ステップ47）。
【００５２】
仮分割ポイントが分割禁止範囲以内に存在しない場合には（図７ステップ15でＮＯ），仮分割ポイントの前の一定範囲内に第１のシーン・チェンジ・ポイントが存在するかどうかが判定される（図12ステップ51）。存在する場合には（図12ステップ51でＹＥＳ），第１のシーン・チェンジ・ポイントが分割ポイントと決定される（図12ステップ52）。分割ポイントで動画が分割される（図12ステップ55）。分割後の動画部分のデータ量は，受信制限容量近傍となるので分割数が多くなってしまうことを未然に防止できる。
【００５３】
仮分割ポイントの前の一定範囲内に第１のシーン・チェンジ・ポイントが存在しないと（図12ステップ51でＮＯ），分割対象動画の先頭から第１のシーン・チェンジ・ポイントの次の第２のシーン・チェンジ・ポイントまでのデータ量が許容データ量以内かどうかが判定される（図12ステップ53）。許容データ量を超えていると（図12ステップ53でＮＯ），第２のシーン・チェンジ・ポイントが分割ポイントと決定される（図12ステップ56）。決定された分割ポイントで動画が分割される（図12ステップ57）。分割により得られた動画部分は携帯電話の受信制限容量を超えているので，受信制限容量以内となるように圧縮される（図12ステップ58）。
【００５４】
分割対象動画の分割が終了するまで，上述の処理が繰り返される（図12ステップ59）。
【００５５】
図13（Ａ）および（Ｂ）から図15は，さらに他の実施例を示すものである。図13（Ａ）および（Ｂ）は分割ポイントを決定する様子を示し，図14および図15は分割ポイント決定処理手順を示すフローチャートである。この実施例は，分割対象動画を複数に分割した場合にそれぞれの動画部分のデータ量ができるだけ均等になるようにするものである。
【００５６】
上述のように，分割禁止範囲，シーン・チェンジ・ポイント，携帯電話の受信制限容量，分割対象動画が読み取られる（図14ステップ61〜63）。
【００５７】
つづいて，分割対象動画が携帯電話の受信制限容量のデータ量ごとに分割された場合の分割数が算出される（図14ステップ64）。
【００５８】
図13（Ａ）に示すように，分割対象動画17の全体のデータ量をＤとする。分割対象動画17が上述したように携帯電話の受信制限容量のデータ量ごとに分割された場合の分割数が算出される。携帯電話の受信制限容量をｄ11とすると，先頭Ｐ０からデータ量ｄ11までのポイントがポイントＰ41，そのポイントＰ41からデータ量ｄ11までのポイントがポイントｄ42，動画17の最後ＰＥまでがデータ量ｄ12となる。受信制限容量ごとに動画17が分割されるとすると，分割数は３となる。
【００５９】
次に算出された分割数で分割対象動画が均等に分割された場合のデータ量が算出され，そのデータ量を分割後の動画部分がもつように仮分割ポイントが設定される（図14ステップ65，66）。
【００６０】
図13（Ｂ）を参照して，動画17が上述した分割数で分割された場合において，分割後の動画部分のデータ量が均等になるようなポイントが仮分割ポイントとされる。動画17の全体のデータ量Ｄが分割数３で均等に分割されたとすると，分割後のそれぞれの動画部分のデータ量はｄ13となったものとする。分割後の動画部分のデータ量がデータ量ｄ13となるようなポイントＰ51，Ｐ52が仮分割ポイントとなる。
【００６１】
このようにして仮分割ポイントが決定されると，仮分割ポイントが分割禁止範囲に存在するかどうかが判定される（図15ステップ67）。分割禁止範囲に存在する場合には（図15ステップ67でＹＥＳ），分割対象動画17の先頭から分割禁止範囲の終端までの動画部分のデータ量が携帯電話の受信制限容量よりも小さいかどうかが判定される（図15ステップ68）。小さければ（図15ステップ68でＹＥＳ），分割禁止範囲の終端が分割ポイントに決定される（図15ステップ69）。分割対象動画17の先頭から分割禁止範囲の終端までの動画部分のデータ量が携帯電話の受信制限容量以上であれば（図15ステップ68でＮＯ），分割禁止範囲の直前が分割ポイントに決定される（図15ステップ70）。
【００６２】
仮分割ポイントが分割禁止範囲内に存在しなければ（図15ステップ67でＮＯ），仮分割ポイントの前の一定範囲内にシーン・チェンジ・ポイントが存在するかどうかが判定される（図15ステップ71）。一定範囲内にシーン・チェンジ・ポイントが存在しなければ（図15ステップ71でＮＯ），仮分割ポイント（図13（Ｂ）では仮分割ポイントＰ51）と受信制限容量で決定されるポイント（図13（Ａ）ではポイントＰ41）との間にシーン・チェンジ・ポイントが存在するかどうかが判定される（図15ステップ72）。シーン・チェンジ・ポイントが存在すれば，そのシーン・チェンジ・ポイントが分割ポイントとされても分割後の動画部分のデータ量は受信制限容量以内となるので，そのシーン・チェンジ・ポイントが分割ポイントと決定される（図15ステップ73）。仮分割ポイントと受信制限容量で決定されるポイントとの間にシーン・チェンジ・ポイントが存在しないと（図15ステップ72でＮＯ），仮分割ポイントが分割ポイントに決定される（図15ステップ73）。
【００６３】
仮分割ポイントの前の一定範囲内にシーン・チェンジ・ポイントが存在すれば（図15ステップ71でＹＥＳ），そのシーン・チェンジ・ポイントが分割ポイントに決定される（図15ステップ74）。
【００６４】
決定された分割ポイントで分割対象動画が分割されることとなる（図15ステップ75）。分割終了するまで，ステップ64から76までの処理が繰り返される（図15ステップ76）。
【００６５】
このようにして分割された動画を表す動画ファイルが動画サーバ１または他のサーバから携帯電話に送信されることとなる。
【符号の説明】
【００６６】
１  動画サーバ（動画分割ポイント決定装置）
５  ＣＰＵ
16，17  分割対象動画
Ｐ１−Ｐ２，Ｐ４−Ｐ５，Ｐ７−Ｐ８，Ｐ21−Ｐ22  分割禁止範囲
Ｐ３，Ｐ６，Ｐ31，Ｐ32  シーン・チェンジ・ポイント
Ｐ11，Ｐ51，Ｐ52  仮分割ポイント
【図１】
2010212824.tif 000003
【図２】
2010212824.tif 000004
【図３】
2010212824.tif 000005
【図４】
2010212824.tif 000006
【図５】
2010212824.tif 000007
【図６】
2010212824.tif 000008
【図７】
2010212824.tif 000009
【図８】
2010212824.tif 000010
【図９】
2010212824.tif 000011
【図１０】
2010212824.tif 000012
【図１１】
2010212824.tif 000013
【図１２】
2010212824.tif 000014
【図１３】
2010212824.tif 000015
【図１４】
2010212824.tif 000016
【図１５】
2010212824.tif 000017